(57)【特許請求の範囲】
【請求項１】
所定の周波数データの入力に基づいて受信周波数を制御しつつ受信したテレビジョン放送信号を中間周波信号に変換して出力するチューナと、
Ｒ信号とＢ信号とＢ信号とから形成されて所定の同期信号を有するＯＳＤ信号を生成するに際し、前記ＯＳＤ信号の同期信号区間にＯＳＤ表示信号と映像信号とを切り替えるためのデータを含む所定の制御データを重畳するマイコンＩＣと、
ＲＧＢ切替回路を有し、上記マイコンＩＣにて生成されたＯＳＤ信号を入力し、上記同期信号の立下りを検出すると同期信号区間から上記制御データを抽出し、この抽出した制御データに基づいて所定の処理を実行するとともに、上記入力したＯＳＤ信号に基づいてＯＳＤ表示信号を生成し、かつ、上記チューナから中間周波信号を入力して中間増幅しつつ映像検波を行い再生可能な映像信号を生成し、上記制御データに含まれるＯＳＤ表示信号と映像信号とを切り替えるためのデータに基づいて前記生成したＯＳＤ表示信号と前記生成した映像信号とを前記ＲＧＢ切替回路にて切り替えて映像出力可能なＲＧＢ再生信号を生成して出力するクロマＩＣと、
Ｒ信号線とＢ信号線とＧ信号線とから構成されて上記Ｒ信号とＢ信号とＧ信号とを個別に送信可能に形成されるとともに、上記マイコンＩＣとクロマＩＣとを接続し、上記マイコンＩＣにて生成された上記ＯＳＤ信号を上記クロマＩＣへ入力可能にするＯＳＤ信号線と、
上記クロマＩＣが出力するＲＧＢ再生信号を入力して増幅するカソードアンプと、
増幅されたＲＧＢ再生信号を入力して映像を表示するＣＲＴとを具備し、
上記マイコンＩＣは、上記ＯＳＤ信号を形成するＲ信号とＢ信号とＢ信号のうち二以上の信号における同期間の上記同期信号区間に上記所定の制御データを当該同期信号区間に収容されるデータ量に分割して当該同期信号に同期させて前記二以上の信号における同期間の同期信号区間に重畳するとともに、前記二以上の信号における同じ一つの期間の同期信号区間に前記所定の制御データを全て重畳することができなかった場合に当該同期信号区間の次の同期信号区間であって前記二以上の信号における同じ一つの期間の同期信号区間に残りの制御データを当該同期信号区間に収容されるデータ量に分割して当該同期信号に同期させて重畳する処理を行い、上記二以上の信号の同期信号区間に上記所定の制御データを全て重畳するまで当該処理を繰り返し、
上記クロマＩＣは、上記マイコンＩＣから入力したＲ信号とＢ信号とＢ信号のうち二以上の信号における同期間の上記同期信号区間から上記分割された制御データを抽出し、前記二以上の信号における同じ一つの期間の同期信号区間から上記所定の制御データを全て抽出することができなかった場合に当該同期信号区間の次の同期信号区間であって前記二以上の信号における同じ一つの期間の同期信号区間から上記分割された制御データを抽出する処理を行い、上記所定の制御データを全て抽出するまで当該処理を繰り返し、上記所定の制御データを全て抽出した場合に抽出した前記分割された制御データを連結して復元し、復元した制御データに基づいて上記所定の処理を実行するとともに上記ＲＧＢ切替回路を切り替えることを特徴とするテレビジョン。
【請求項２】
ＯＳＤ信号線を構成するＲ信号線とＢ信号線とＧ信号線とに対して個別に送出するＲ信号とＢ信号とＢ信号とから形成されて所定の同期信号を有するＯＳＤ信号を生成可能なＯＳＤ信号生成手段と、
前記ＯＳＤ信号生成手段にて生成されたＯＳＤ信号を取得するＯＳＤ信号取得手段と、
上記取得したＯＳＤ信号を形成するＲ信号とＢ信号とＢ信号のうち二以上の信号における同期間の上記同期信号区間に所定の制御データを重畳する際、当該制御データを当該同期信号区間に収容されるデータ量に分割して当該同期信号に同期させて前記二以上の信号における同期間の同期信号区間に重畳する制御データ重畳手段とを具備することを特徴とする制御データ重畳装置。
【請求項３】
上記請求項２に記載の制御データ重畳装置において、
上記制御データ重畳手段は、上記二以上の信号における同じ一つの期間の同期信号区間に上記所定の制御データを全て重畳することができなかった場合、当該同期信号区間の次の同期信号区間であって前記二以上の信号における同じ一つの期間の同期信号区間に残りの制御データを当該同期信号区間に収容されるデータ量に分割して当該同期信号に同期させて重畳する処理を行い、上記二以上の信号の同期信号区間に上記所定の制御データを全て重畳するまで当該処理を繰り返すことを特徴とする制御データ重畳装置。
【請求項４】
ＯＳＤ信号線を構成するＲ信号線とＢ信号線とＧ信号線とに対して個別に送出するＲ信号とＢ信号とＢ信号とから形成されて所定の同期信号を有するＯＳＤ信号であってＲ信号とＢ信号とＢ信号のうち二以上の信号における同期間の当該同期信号区間に所定の制御データから当該同期信号区間に収容されるデータ量に分割された制御データが当該同期信号に同期して重畳されたＯＳＤ信号を入力するＯＳＤ信号入力手段と、
上記同期信号の立ち下りを検出する同期信号検出手段を備え、この同期信号検出手段にて同期信号の立ち下りを検出すると上記入力した二以上の信号における同期間の同期信号区間に重畳された上記分割された制御データを抽出するとともに、抽出した前記分割された制御データを連結して上記所定の制御データを復元する制御データ抽出手段とを具備することを特徴とする制御データ抽出装置。
【請求項５】
上記請求項４に記載の制御データ重畳装置において、
上記制御データ抽出手段は、上記二以上の信号における同じ一つの期間の同期信号区間から上記分割された制御データを抽出し、前記二以上の信号における同じ一つの期間の同期信号区間から上記所定の制御データを全て抽出することができなかった場合に当該同期信号区間の次の同期信号区間であって前記二以上の信号における同じ一つの期間の同期信号区間から上記分割された制御データを抽出する処理を行い、上記所定の制御データを全て抽出するまで当該処理を繰り返し、上記所定の制御データを全て抽出した場合に抽出した前記分割された制御データを連結して復元し、復元した制御データに基づいて上記所定の処理を実行することを特徴とする制御データ重畳装置。
【請求項６】
Ｒ信号とＢ信号とＢ信号とから形成されて所定の同期信号を有するＯＳＤ信号を生成するに際して、このＯＳＤ信号を形成するＲ信号とＢ信号とＢ信号のうち二以上の信号における同期間の上記同期信号区間に所定の制御データを重畳する際、当該制御データを当該同期信号区間に収容されるデータ量に分割して当該同期信号に同期させて前記二以上の信号における同期間の同期信号区間に重畳するとともに、このＯＳＤ信号を出力するマイコンＩＣと、
上記二以上の信号における同期間の同期信号区間に上記分割された制御データが重畳されたＯＳＤ信号を入力するとともに、この入力した二以上の信号の同期信号区間に重畳された上記分割された制御データを抽出しつつ、前記抽出した上記分割された制御データに基づいて所定の制御処理を実行するクロマＩＣと、
上記ＯＳＤ信号を形成するＲ信号とＧ信号とＢ信号とを個別に送信可能に形成されるとともに上記マイコンＩＣとクロマＩＣとを接続するＯＳＤ信号送信部とを具備することを特徴とするＯＳＤ信号回路。
【請求項７】
ＯＳＤ信号線を構成するＲ信号線とＢ信号線とＧ信号線とに対して個別に送出するＲ信号とＢ信号とＢ信号とから形成されて所定の同期信号を有するＯＳＤ信号を生成可能なＯＳＤ信号生成工程と、
前記ＯＳＤ信号生成工程にて生成されたＯＳＤ信号を取得するＯＳＤ信号取得工程と、
上記取得したＯＳＤ信号を形成するＲ信号とＢ信号とＢ信号のうち二以上の信号における同期間の上記同期信号区間に所定の制御データを重畳する際、当該制御データを当該同期信号区間に収容されるデータ量に分割して当該同期信号に同期させて前記二以上の信号における同期間の同期信号区間に重畳する制御データ重畳工程とを具備することを特徴とする制御データ重畳方法。
【請求項８】
上記請求項７に記載の制御データ重畳方法において、
上記制御データ重畳工程では、上記二以上の信号における同じ一つの期間の同期信号区間に上記所定の制御データを全て重畳することができなかった場合、当該同期信号区間の次の同期信号区間であって前記二以上の信号における同じ一つの期間の同期信号区間に残りの制御データを当該同期信号区間に収容されるデータ量に分割して当該同期信号に同期させて重畳する処理を行い、上記二以上の信号の同期信号区間に上記所定の制御データを全て重畳するまで当該処理を繰り返すことを特徴とする制御データ重畳方法。
【請求項９】
ＯＳＤ信号線を構成するＲ信号線とＢ信号線とＧ信号線とに対して個別に送出するＲ信号とＢ信号とＢ信号とから形成されて所定の同期信号を有するＯＳＤ信号であってＲ信号とＢ信号とＢ信号のうち二以上の信号における同期間の当該同期信号区間に所定の制御データから当該同期信号区間に収容されるデータ量に分割された制御データが当該同期信号に同期して重畳されたＯＳＤ信号を入力するＯＳＤ信号入力工程と、
上記同期信号の立ち下りを検出すると上記入力した二以上の信号における同期間の同期信号区間に重畳された上記分割された制御データを抽出するとともに、抽出した前記分割された制御データを連結して上記所定の制御データを復元する制御データ抽出工程とを具備することを特徴とする制御データ抽出方法。
【請求項１０】
上記請求項９に記載の制御データ重畳方法において、
上記制御データ抽出工程では、上記二以上の信号における同じ一つの期間の同期信号区間から上記分割された制御データを抽出し、前記二以上の信号における同じ一つの期間の同期信号区間から上記所定の制御データを全て抽出することができなかった場合に当該同期信号区間の次の同期信号区間であって前記二以上の信号における同じ一つの期間の同期信号区間から上記分割された制御データを抽出する処理を行い、上記所定の制御データを全て抽出するまで当該処理を繰り返し、上記所定の制御データを全て抽出した場合に抽出した前記分割された制御データを連結して復元し、復元した制御データに基づいて上記所定の処理を実行することを特徴とする制御データ重畳方法。
【発明の詳細な説明】
【０００１】
【発明の属する技術分野】
本発明は、テレビジョン、制御データ重畳装置、制御データ抽出装置、ＯＳＤ信号回路、制御データ重畳方法および制御データ抽出方法に関し、特に、ＯＳＤ信号に所定の制御データを重畳するとともに、この重畳された制御データをＯＳＤ信号から抽出するテレビジョン、制御データ重畳装置、制御データ抽出装置、ＯＳＤ信号回路、制御データ重畳方法および制御データ抽出方法に関する。
【０００２】
【従来の技術】
従来、この種のテレビジョンは、ＯＳＤ信号を生成するマイコンＩＣと、このＯＳＤ信号を入力して映像出力を行うクロマＩＣとをＲＧＢ信号線および制御信号線にて接続していた。このＲＧＢ信号線は、ＯＳＤ信号を形成するＲＧＢ信号をマイコンＩＣからクロマＩＣに対して送信するために各ＲＧＢ信号に対応して三つの信号線にて形成されている。一方、制御信号線は、マイコンＩＣがクロマＩＣを同期させて制御するための制御クロック信号を送信する制御クロック信号線と、制御に関する制御データを送信する制御データ信号線との二本の信号線にて形成されている。従って、マイコンＩＣとクロマＩＣとは合計５本の信号線にて接続され、それぞれの信号の送受信を行っていた。また、同様の技術としては実開昭６３−６５３７３号公報に開示されているものや、特開平７−３８８０９号公報に開示されているものが知られている。
【０００３】
【発明が解決しようとする課題】
上述した従来のテレビジョンにおいては、ＯＳＤ信号等の送受信のためにマイコンＩＣとクロマＩＣとを五本の信号線で接続しなければならないことから、回路が複雑になるとともに、部品数の増加からコストの上昇を避けられないといった課題があった。一方、前者の公報に開示されている技術は、回路構成を簡素化するためのものではなく、後者の公報は回路構成の簡素化を図る技術が開示されているものの、マイコンＩＣとクロマＩＣとの接続の簡素化については何等示唆していない。
【０００４】
本発明は、上記課題にかんがみてなされたもので、簡易な構成によってマイコンＩＣとクロマＩＣとを接続することができるとともに、制御データが重畳されたＯＳＤ信号を受信した側にてよりリアルタイムな制御を行うことが可能になり、多くのデータ量の制御データを送信することが可能なテレビジョン、制御データ重畳装置、制御データ抽出装置、ＯＳＤ信号回路、制御データ重畳方法および制御データ抽出方法の提供を目的とする。
【０００５】
【課題を解決するための手段】
上記目的を達成するため、請求項１にかかる発明は、所定の周波数データの入力に基づいて受信周波数を制御しつつ受信したテレビジョン放送信号を中間周波信号に変換して出力するチューナと、Ｒ信号とＢ信号とＢ信号とから形成されて所定の同期信号を有するＯＳＤ信号を生成するに際し、前記ＯＳＤ信号の同期信号区間にＯＳＤ表示信号と映像信号とを切り替えるためのデータを含む所定の制御データを重畳するマイコンＩＣと、ＲＧＢ切替回路を有し、上記マイコンＩＣにて生成されたＯＳＤ信号を入力し、上記同期信号の立下りを検出すると同期信号区間から上記制御データを抽出し、この抽出した制御データに基づいて所定の処理を実行するとともに、上記入力したＯＳＤ信号に基づいてＯＳＤ表示信号を生成し、かつ、上記チューナから中間周波信号を入力して中間増幅しつつ映像検波を行い再生可能な映像信号を生成し、上記制御データに含まれるＯＳＤ表示信号と映像信号とを切り替えるためのデータに基づいて前記生成したＯＳＤ表示信号と前記生成した映像信号とを前記ＲＧＢ切替回路にて切り替えて映像出力可能なＲＧＢ再生信号を生成して出力するクロマＩＣと、Ｒ信号線とＢ信号線とＧ信号線とから構成されて上記Ｒ信号とＢ信号とＧ信号とを個別に送信可能に形成されるとともに、上記マイコンＩＣとクロマＩＣとを接続し、上記マイコンＩＣにて生成された上記ＯＳＤ信号を上記クロマＩＣへ入力可能にするＯＳＤ信号線と、上記クロマＩＣが出力するＲＧＢ再生信号を入力して増幅するカソードアンプと、増幅されたＲＧＢ再生信号を入力して映像を表示するＣＲＴとを具備し、上記マイコンＩＣは、上記ＯＳＤ信号を形成するＲ信号とＢ信号とＢ信号のうち二以上の信号における同期間の上記同期信号区間に上記所定の制御データを当該同期信号区間に収容されるデータ量に分割して当該同期信号に同期させて前記二以上の信号における同期間の同期信号区間に重畳するとともに、前記二以上の信号における同じ一つの期間の同期信号区間に前記所定の制御データを全て重畳することができなかった場合に当該同期信号区間の次の同期信号区間であって前記二以上の信号における同じ一つの期間の同期信号区間に残りの制御データを当該同期信号区間に収容されるデータ量に分割して当該同期信号に同期させて重畳する処理を行い、上記二以上の信号の同期信号区間に上記所定の制御データを全て重畳するまで当該処理を繰り返し、上記クロマＩＣは、上記マイコンＩＣから入力したＲ信号とＢ信号とＢ信号のうち二以上の信号における同期間の上記同期信号区間から上記分割された制御データを抽出し、前記二以上の信号における同じ一つの期間の同期信号区間から上記所定の制御データを全て抽出することができなかった場合に当該同期信号区間の次の同期信号区間であって前記二以上の信号における同じ一つの期間の同期信号区間から上記分割された制御データを抽出する処理を行い、上記所定の制御データを全て抽出するまで当該処理を繰り返し、上記所定の制御データを全て抽出した場合に抽出した前記分割された制御データを連結して復元し、復元した制御データに基づいて上記所定の処理を実行するとともに上記ＲＧＢ切替回路を切り替える構成としてある。
【０００６】
上記のように構成した請求項１にかかる発明においては、チューナと、マイコンＩＣと、クロマＩＣと、カソードアンプと、ＣＲＴとを有するとともに、このマイコンＩＣとクロマＩＣとをＯＳＤ信号線にて接続したテレビジョンを提供する。このとき、チューナは所定の周波数データの入力に基づいて受信周波数を制御しつつ受信したテレビジョン放送信号を中間周波信号に変換して出力する。そして、マイコンＩＣはＯＳＤ信号を生成するに際し、前記ＯＳＤ信号の同期信号区間に所定の制御データを重畳する。クロマＩＣは生成されたＯＳＤ信号を入力し、同期信号の立下りを検出すると同期信号区間から上記制御データを抽出し、この抽出した制御データに基づいて所定の処理を実行する。
【０００７】
また、クロマＩＣは入力したＯＳＤ信号に基づいてＯＳＤ表示信号を生成し、かつ、チューナから中間周波信号を入力して中間増幅しつつ映像検波を行い再生可能な映像信号を生成し、ＯＳＤ表示信号および映像信号に基づいて映像出力可能なＲＧＢ再生信号を生成して出力する。このように生成されたＲＧＢ再生信号はＣＲＴに入力され、前記ＣＲＴにて映像として表示される。マイコンＩＣは上述したようにＯＳＤ信号を生成し、クロマＩＣはこのＯＳＤ信号を入力する。このために、マイコンＩＣとクロマＩＣとの間にはＯＳＤ信号を送信するためのＯＳＤ信号線を配設する。
【０００８】
このＯＳＤ信号線はＲＧＢ信号を個別に送信可能に形成されている。すなわち、ＯＳＤ信号を送信可能な最小限の構成となっている。一方で、マイコンＩＣはクロマＩＣの動作を制御する。このとき、マイコンＩＣはクロマＩＣに対して制御データを送信する必要がある。本発明は、マイコンＩＣにてＯＳＤ信号を生成する際に、この制御データを重畳し、上記したＯＳＤ信号線によってクロマＩＣに送信する。従って、クロマＩＣはＯＳＤ信号から制御データを抽出して所定の動作を実行することになる。このように、制御データをＯＳＤ信号に重畳することによって、制御データを送信するための配線を削減することが可能となり、構成の簡素化を図ることが可能になる。
制御データの大きさによっては一つの信号の同期信号区間に重畳できない場合がある。このとき、同期信号ごとに分けて制御データを重畳しても良いが、このＯＳＤ信号を受信した側にて行われる制御においてリアルタイム性が欠けることがあり得る。このため、上記マイコンＩＣは、上記ＯＳＤ信号を形成するＲ信号とＢ信号とＢ信号のうち二以上の信号における同期間の上記同期信号区間に上記所定の制御データを当該同期信号区間に収容されるデータ量に分割して当該同期信号に同期させて前記二以上の信号における同期間の同期信号区間に重畳するとともに、前記二以上の信号における同じ一つの期間の同期信号区間に前記所定の制御データを全て重畳することができなかった場合に当該同期信号区間の次の同期信号区間であって前記二以上の信号における同じ一つの期間の同期信号区間に残りの制御データを当該同期信号区間に収容されるデータ量に分割して当該同期信号に同期させて重畳する処理を行い、上記二以上の信号の同期信号区間に上記所定の制御データを全て重畳するまで当該処理を繰り返す。上記クロマＩＣは、上記マイコンＩＣから入力したＲ信号とＢ信号とＢ信号のうち二以上の信号における同期間の上記同期信号区間から上記分割された制御データを抽出し、前記二以上の信号における同じ一つの期間の同期信号区間から上記所定の制御データを全て抽出することができなかった場合に当該同期信号区間の次の同期信号区間であって前記二以上の信号における同じ一つの期間の同期信号区間から上記分割された制御データを抽出する処理を行い、上記所定の制御データを全て抽出するまで当該処理を繰り返し、上記所定の制御データを全て抽出した場合に抽出した前記分割された制御データを連結して復元し、復元した制御データに基づいて上記所定の処理を実行するとともに上記ＲＧＢ切替回路を切り替える。
上記のように構成した発明においては、ＯＳＤ信号を形成するＲＧＢ信号の二つ以上を利用する。すなわち、ＲＧ信号の各同期信号区間を利用して制御データ重畳手段にてＯＳＤ表示信号と映像信号とを切り替えるためのデータを含む制御データを重畳したり、ＲＧＢ信号の各同期信号区間を利用して前記制御データを重畳する。
【０００９】
上述してきた構成を採用することによりテレビジョンにてマイコンＩＣとクロマＩＣとの接続を簡素化することが可能になる。一方、かかる簡素化を実現する技術的思想は、その技術を適用する具体的機器に限定されるものでなく、テレビジョンにおけるＯＳＤ信号に対して制御データの重畳を行う装置としても成立し得ることは言うまでもない。そこで、請求項２にかかる発明は、ＯＳＤ信号線を構成するＲ信号線とＢ信号線とＧ信号線とに対して個別に送出するＲ信号とＢ信号とＢ信号とから形成されて所定の同期信号を有するＯＳＤ信号を生成可能なＯＳＤ信号生成手段と、前記ＯＳＤ信号生成手段にて生成されたＯＳＤ信号を取得するＯＳＤ信号取得手段と、上記取得したＯＳＤ信号を形成するＲ信号とＢ信号とＢ信号のうち二以上の信号における同期間の上記同期信号区間に所定の制御データを重畳する際、当該制御データを当該同期信号区間に収容されるデータ量に分割して当該同期信号に同期させて前記二以上の信号における同期間の同期信号区間に重畳する制御データ重畳手段とを具備する構成としてある。
【００１０】
上記のように構成した請求項２にかかる発明においては、ＯＳＤ信号生成手段にてＯＳＤ信号線を構成するＲ信号線とＢ信号線とＧ信号線とに対して個別に送出するＲ信号とＢ信号とＢ信号とから形成されて所定の同期信号を有するＯＳＤ信号が生成されると、ＯＳＤ信号取得手段にて前記ＯＳＤ信号を取得する。そして、制御データ重畳手段にて上記取得したＯＳＤ信号を形成するＲ信号とＢ信号とＢ信号のうち二以上の信号における同期間の上記同期信号区間に所定の制御データを重畳する。このとき、制御データ重畳手段は、当該制御データを当該同期信号区間に収容されるデータ量に分割して当該同期信号に同期させて前記二以上の信号における同期間の同期信号区間に重畳する。ここで、ＯＳＤ信号取得手段は、ＯＳＤ信号を取得することができれば良く、ＯＳＤ信号を生成する回路の内部構成としても良いし、外部構成としても良い。外部構成とすれば、ＯＳＤ信号を介して各装置のデータの送受信を行うことが可能になる。
制御データの大きさによっては一つの信号の同期信号区間に重畳できない場合がある。このとき、同期信号ごとに分けて制御データを重畳しても良いが、このＯＳＤ信号を受信した側にて行われる制御においてリアルタイム性が欠けることがあり得る。このため、上記制御データ重畳手段は、上記取得したＯＳＤ信号を形成するＲ信号とＢ信号とＢ信号のうち二以上の信号における同期間の上記同期信号区間に所定の制御データを重畳する際、当該制御データを当該同期信号区間に収容されるデータ量に分割して当該同期信号に同期させて前記二以上の信号における同期間の同期信号区間に重畳する。
上記のように構成した発明においては、ＯＳＤ信号を形成するＲＧＢ信号の二つ以上を利用する。すなわち、ＲＧ信号の各同期信号区間を利用して制御データ重畳手段にてＯＳＤ表示信号と映像信号とを切り替えるためのデータを含む制御データを重畳したり、ＲＧＢ信号の各同期信号区間を利用して前記制御データを重畳する。
【００１１】
また、請求項３にかかる発明は、上記請求項２に記載の制御データ重畳装置において、上記制御データ重畳手段は、上記二以上の信号における同じ一つの期間の同期信号区間に上記所定の制御データを全て重畳することができなかった場合、当該同期信号区間の次の同期信号区間であって前記二以上の信号における同じ一つの期間の同期信号区間に残りの制御データを当該同期信号区間に収容されるデータ量に分割して当該同期信号に同期させて重畳する処理を行い、上記二以上の信号の同期信号区間に上記所定の制御データを全て重畳するまで当該処理を繰り返す構成としてある。
【００１２】
一方、かかる簡素化を実現する技術的思想は、上述したように制御データをＯＳＤ信号に重畳することによって実現することができることは言うまでもない。また、この重畳された制御データを抽出する装置としても成立し得ることは言うまでもない。そこで、請求項４にかかる発明は、ＯＳＤ信号線を構成するＲ信号線とＢ信号線とＧ信号線とに対して個別に送出するＲ信号とＢ信号とＢ信号とから形成されて所定の同期信号を有するＯＳＤ信号であってＲ信号とＢ信号とＢ信号のうち二以上の信号における同期間の当該同期信号区間に所定の制御データから当該同期信号区間に収容されるデータ量に分割された制御データが当該同期信号に同期して重畳されたＯＳＤ信号を入力するＯＳＤ信号入力手段と、上記同期信号の立ち下りを検出する同期信号検出手段を備え、この同期信号検出手段にて同期信号の立ち下りを検出すると上記入力した二以上の信号における同期間の同期信号区間に重畳された上記分割された制御データを抽出するとともに、抽出した前記分割された制御データを連結して上記所定の制御データを復元する制御データ抽出手段とを具備する構成としてある。
上記のように構成した請求項４にかかる発明においては、ＯＳＤ信号入力手段にてＯＳＤ信号線を構成するＲ信号線とＢ信号線とＧ信号線とに対して個別に送出するＲ信号とＢ信号とＢ信号とから形成されて所定の同期信号を有するＯＳＤ信号であってＲ信号とＢ信号とＢ信号のうち二以上の信号における同期間の当該同期信号区間に所定の制御データから当該同期信号区間に収容されるデータ量に分割された制御データが当該同期信号に同期して重畳されたＯＳＤ信号を入力する。そして、制御データ抽出手段は同期信号検出手段にて同期信号の立ち下りが検出されると、入力した二以上の信号における同期間の同期信号区間に重畳された上記分割された制御データを抽出するとともに、抽出した前記分割された制御データを連結して上記所定の制御データを復元する。
【００１３】
請求項５にかかる発明は、上記請求項４に記載の制御データ重畳装置において、上記制御データ抽出手段は、上記二以上の信号における同じ一つの期間の同期信号区間から上記分割された制御データを抽出し、前記二以上の信号における同じ一つの期間の同期信号区間から上記所定の制御データを全て抽出することができなかった場合に当該同期信号区間の次の同期信号区間であって前記二以上の信号における同じ一つの期間の同期信号区間から上記分割された制御データを抽出する処理を行い、上記所定の制御データを全て抽出するまで当該処理を繰り返し、上記所定の制御データを全て抽出した場合に抽出した前記分割された制御データを連結して復元し、復元した制御データに基づいて上記所定の処理を実行する構成としてある。
【００１４】
上述してきたような制御データ重畳装置および制御データ抽出装置を適用した具体的な回路構成として、請求項６にかかる発明は、Ｒ信号とＢ信号とＢ信号とから形成されて所定の同期信号を有するＯＳＤ信号を生成するに際して、このＯＳＤ信号を形成するＲ信号とＢ信号とＢ信号のうち二以上の信号における同期間の上記同期信号区間に所定の制御データを重畳する際、当該制御データを当該同期信号区間に収容されるデータ量に分割して当該同期信号に同期させて前記二以上の信号における同期間の同期信号区間に重畳するとともに、このＯＳＤ信号を出力するマイコンＩＣと、上記二以上の信号における同期間の同期信号区間に上記分割された制御データが重畳されたＯＳＤ信号を入力するとともに、この入力した二以上の信号の同期信号区間に重畳された上記分割された制御データを抽出しつつ、前記抽出した上記分割された制御データに基づいて所定の制御処理を実行するクロマＩＣと、上記ＯＳＤ信号を形成するＲ信号とＧ信号とＢ信号とを個別に送信可能に形成されるとともに上記マイコンＩＣとクロマＩＣとを接続するＯＳＤ信号送信部とを具備する構成としてある。
【００１５】
また、ＯＳＤ信号に制御データを重畳したり、ＯＳＤ信号から制御データを抽出する手法は必ずしも実体のある装置に限られる必要はなく、その方法としても機能することは容易に理解できる。そこで、請求項７にかかる発明は、ＯＳＤ信号線を構成するＲ信号線とＢ信号線とＧ信号線とに対して個別に送出するＲ信号とＢ信号とＢ信号とから形成されて所定の同期信号を有するＯＳＤ信号を生成可能なＯＳＤ信号生成工程と、前記ＯＳＤ信号生成工程にて生成されたＯＳＤ信号を取得するＯＳＤ信号取得工程と、上記取得したＯＳＤ信号を形成するＲ信号とＢ信号とＢ信号のうち二以上の信号における同期間の上記同期信号区間に所定の制御データを重畳する際、当該制御データを当該同期信号区間に収容されるデータ量に分割して当該同期信号に同期させて前記二以上の信号における同期間の同期信号区間に重畳する制御データ重畳工程とを具備する構成としてある。
【００１６】
請求項８にかかる発明は、上記請求項７に記載の制御データ重畳方法において、上記制御データ重畳工程では、上記二以上の信号における同じ一つの期間の同期信号区間に上記所定の制御データを全て重畳することができなかった場合、当該同期信号区間の次の同期信号区間であって前記二以上の信号における同じ一つの期間の同期信号区間に残りの制御データを当該同期信号区間に収容されるデータ量に分割して当該同期信号に同期させて重畳する処理を行い、上記二以上の信号の同期信号区間に上記所定の制御データを全て重畳するまで当該処理を繰り返す構成としてある。
【００１７】
請求項９にかかる発明は、ＯＳＤ信号線を構成するＲ信号線とＢ信号線とＧ信号線とに対して個別に送出するＲ信号とＢ信号とＢ信号とから形成されて所定の同期信号を有するＯＳＤ信号であってＲ信号とＢ信号とＢ信号のうち二以上の信号における同期間の当該同期信号区間に所定の制御データから当該同期信号区間に収容されるデータ量に分割された制御データが当該同期信号に同期して重畳されたＯＳＤ信号を入力するＯＳＤ信号入力工程と、上記同期信号の立ち下りを検出すると上記入力した二以上の信号における同期間の同期信号区間に重畳された上記分割された制御データを抽出するとともに、抽出した前記分割された制御データを連結して上記所定の制御データを復元する制御データ抽出工程とを具備する構成としてある。
【００１８】
そして、請求項１０にかかる発明は、上記請求項９に記載の制御データ重畳方法において、上記制御データ抽出工程では、上記二以上の信号における同じ一つの期間の同期信号区間から上記分割された制御データを抽出し、前記二以上の信号における同じ一つの期間の同期信号区間から上記所定の制御データを全て抽出することができなかった場合に当該同期信号区間の次の同期信号区間であって前記二以上の信号における同じ一つの期間の同期信号区間から上記分割された制御データを抽出する処理を行い、上記所定の制御データを全て抽出するまで当該処理を繰り返し、上記所定の制御データを全て抽出した場合に抽出した前記分割された制御データを連結して復元し、復元した制御データに基づいて上記所定の処理を実行する構成としてある。すなわち、必ずしも実体のある制御データ重畳装置あるいは制御データ抽出装置に限らず、その方法としても有効であることに相違はない。
【００１９】
【発明の効果】
以上説明したように本発明は、マイコンＩＣにてクロマＩＣを制御するための制御データをＯＳＤ信号に重畳することによって、この制御データを送信するための配線を削減することを可能とし、構成の簡素化を図ることができるとともに、制御データが重畳されたＯＳＤ信号を受信した側にてよりリアルタイムな制御を行うことが可能になり、多くのデータ量の制御データを送信することが可能なテレビジョンを提供することができる。
また、請求項２、請求項３にかかる発明によれば、ＯＳＤ信号に制御データを重畳することによって、ＯＳＤ信号を利用した制御データの送信を実現することができるとともに、制御データが重畳されたＯＳＤ信号を受信した側にてよりリアルタイムな制御を行うことが可能になり、多くのデータ量の制御データを送信することが可能な制御データ重畳装置を提供することができる。
さらに、請求項４、請求項５にかかる発明によれば、ＯＳＤ信号に重畳された制御データを抽出することができるとともに、制御データが重畳されたＯＳＤ信号を受信した側にてよりリアルタイムな制御を行うことが可能になり、多くのデータ量の制御データを送信することが可能な制御データ抽出装置を提供することができる。
さらに、請求項６にかかる発明によれば、制御データを重畳および抽出を実施して好適な具体的な回路構成であるＯＳＤ信号回路を提示することができるとともに、制御データが重畳されたＯＳＤ信号を受信した側にてよりリアルタイムな制御を行うことが可能になり、多くのデータ量の制御データを送信することが可能となる。
さらに、請求項７、請求項８にかかる発明によれば、ＯＳＤ信号に制御データを重畳することによって、ＯＳＤ信号を利用した制御データの送信を実現することができるとともに、制御データが重畳されたＯＳＤ信号を受信した側にてよりリアルタイムな制御を行うことが可能になり、多くのデータ量の制御データを送信することが可能な制御データ重畳方法を提供することができる。
さらに、請求項９、請求項１０にかかる発明によれば、ＯＳＤ信号に重畳された制御データを抽出することができるとともに、制御データが重畳されたＯＳＤ信号を受信した側にてよりリアルタイムな制御を行うことが可能になり、多くのデータ量の制御データを送信することが可能な制御データ抽出方法を提供することができる。
【００２０】
【発明の実施の形態】
ここでは、下記の順序に従って本発明の実施形態について説明する。
（１）テレビジョンの構成：
（２）第一実施形態：
（３）第二実施形態：
（４）第三実施形態：
【００２１】
（１）テレビジョンの構成
以下、図面にもとづいて本発明の実施形態を説明する。
図１は、本発明の一実施形態にかかるテレビジョンの概略構成をブロック構成図により示している。
同図において、テレビジョン１０は、概略、チューナ１１と、アンテナ１２と、クロマＩＣ１３と、カソードアンプ１４と、ＣＲＴ１５と、マイコンＩＣ１６と、ＥＥＰＲＯＭ１７とから構成されている。ここで、チューナ１１は、アンテナ１２を介してテレビ放送帯域に対応した所望周波数のテレビジョン信号を受信するとともに、この受信したテレビジョン信号から所要の信号だけを選択して高周波増幅し、中間周波信号に変換して出力する。なお、このチューナ１１は、いわゆるＰＬＬ方式の選局機構を採用しており、所定の周波数データの入力に基づいて局部発振周波数を直接的に制御することにより、受信周波数を制御可能となっている。
【００２２】
そして、このチューナ１１から出力された中間周波信号は、クロマＩＣ１３に供給されると、同クロマＩＣ１３にて中間周波増幅されるとともに映像検波されて映像信号が取得される。ここで得られた映像信号は、ＲＧＢの原色信号に再生され、カソードアンプ１４にて増幅されるとともに、ＣＲＴ１５のカソード側に供給される。一方、同じ検波出力から得られた同期信号は、水平同期信号と垂直同期信号とに同期分離されてＣＲＴ１５に配設された偏向コイル１５ａに接続される偏向回路１８に供給されている。
【００２３】
この偏向回路１８による偏向コイル１５ａの制御によって、ＲＧＢ信号に基づいて電子銃から放射された電子ビームを、水平同期信号および垂直同期信号に同期された発振信号に基づいて水平および垂直方向に偏向させる。これにより、電子ビームをＣＲＴ１５の画面上に走査させてテレビジョン放送の映像を表示する。また、マイコンＩＣ１６は、ＩＩＣバス１９に接続し、このＩＩＣバス１９を介して、同ＩＩＣバス１９に接続されているチューナ１１への受信周波数の指示を行っている。また、マイコンＩＣ１６は、クロマＩＣ１３とＯＳＤ信号線２０とにより接続し、このＯＳＤ信号線２０を介してクロマＩＣ１３に対してＯＳＤ信号を出力している。本実施形態においては、後述するとおり、このＯＳＤ信号線２０上を伝送されるＯＳＤ信号にクロマＩＣ１３の動作を制御する所定の制御データを重畳することによって、マイコンＩＣ１６はクロマＩＣ１３の動作を制御する。
【００２４】
また、ＩＩＣバス１９にはプリセット時の設定などを記憶する上記したＥＥＰＲＯＭ１７が接続されている。このＥＥＰＲＯＭ１７は、不揮発性の記憶領域であり、マイコンＩＣ１６はチャンネル周波数の設定値の他、放送局の有無を表すプリセットデータや機器の構成状況などをこのＥＥＰＲＯＭ１７に書き込んで必要に応じて参照する。また、マイコンＩＣ１６には外部機器であるリモコン２１から出力される赤外線明滅信号を受光する受光回路２２が接続されており、マイコンＩＣ１６は、この受光回路２２を介して入力するリモコン２１からの操作指示に基づいてＣＲＴ１５にＯＳＤ表示を行ったり、チューナ１１に対してチャンネル切替を指示したりする。
【００２５】
図２は、マイコンＩＣ１６とクロマＩＣ１３との内部構成および接続態様を示したブロック構成図である。
同図において、マイコンＩＣ１６にはＯＳＤ信号を生成するＯＳＤ信号生成回路１６ａが配置されている。また、クロマＩＣ１３にはＲＧＢ切替回路１３ａと、色再生回路１３ｂとが配置されている。このクロマＩＣ１３に配置されたＲＧＢ切替回路１３ａは、チューナ１１から入力する中間周波信号から取得される映像信号に基づいて再生されたＲＧＢ信号に基づく出力と、ＯＳＤ信号生成回路１６ａにて生成されたＯＳＤ用ＲＧＢ信号に基づく出力とのいずれかを選択してカソードアンプ１４の側に出力できるようになっている。
【００２６】
従って、例えば、ＯＳＤ信号としてのタイマの予約操作や予約状況やチャンネル表示などを示すキャラクタやグラフィック画像をＯＳＤ用ＲＧＢ信号として、上述した映像信号に基づいて再生されたＲＧＢ信号に重畳させるとき、このキャラクタやグラフィック画像以外の部分では、このＲＧＢ切替回路１３ａを映像信号に基づいてＲＧＢ信号を再生する色再生回路１３ｂ側の端子に切り替えて接続することにより、この映像信号に基づくＲＧＢ信号をカソードアンプ１４の側に出力させる。一方、キャラクタやグラフィック画像の部分では、同ＲＧＢ切替回路１３ａをＯＳＤ用ＲＧＢ信号の入力端子に切り替えて接続することにより、所定のＯＳＤ用ＲＧＢ信号をカソードアンプ１４の側に出力させている。
【００２７】
また、ＯＳＤ信号線２０は、Ｒ信号線２０ａと、Ｇ信号線２０ｂと、Ｂ信号線２０ｃとにより構成されている。かかる構成において、ＯＳＤ信号生成回路１６ａは、各ＲＧＢ信号ごとにＯＳＤ信号を生成し、この生成したＯＳＤ信号をそれぞれ対応するＲＧＢ信号線２０ａ〜２０ｃに送出し、クロマＩＣ１３に入力させている。本実施形態においては、このＲ信号線２０ａの同期信号区間に上述したＲＧＢ切替回路１３ａを切り替えるための制御データを重畳することによって、ＯＳＤ信号線２０以外の制御信号線をマイコンＩＣ１６とクロマＩＣ１３との間に配設することなく、マイコンＩＣ１６からクロマＩＣ１３のＲＧＢ切替回路１３ａの動作制御を可能にしたものである。
【００２８】
（２）第一実施形態について
図３は、ＲＧＢ切替回路１３ａの切り替え態様を示した切替制御データテーブルの構成を示した構成図である。
同図において、切替制御データテーブル３０は、データフィールドとして制御データ３１と、切替出力３２とを備えている。本実施形態においては、ＲＧＢ切替回路１３ａの動作を制御する二つのパターンがデータ３０ａ，３０ｂに格納されている。ここで、データ３０ａは制御データ３１が「００」の場合に、ＲＧＢ切替回路１３ａの切替出力が「映像出力」に動作制御されることを示しており、データ３０ｂは制御データが「０１」の場合に、ＲＧＢ切替回路１３ａの切替出力がＯＳＤ信号に動作制御されることを示している。
【００２９】
図４は、各ＲＧＢ信号にて構成されるＯＳＤ信号のうち制御データを重畳するＲ信号の構成を示した構成図である。
同図において、Ｒ信号はＯＳＤ信号区間と同期信号区間とを有する構成となっている。むろん、他のＧ信号およびＢ信号についても同様にＯＳＤ信号区間と同期信号区間とを有することは言うまでもない。そして、このＯＳＤ信号区間には適宜ＯＳＤ信号生成回路１６ａにて生成されたＯＳＤ信号が含まれている。同期信号は各ＲＧＢ信号の同期を取るものであり、一定間隔でＲ信号に出現する。本実施形態においては、マイコンＩＣ１６がＯＳＤ信号生成回路１６ａからＯＳＤ信号を出力する際に、上記切替制御データテーブル３０から適宜制御データ３１を抽出して同期信号区間に重畳する。ここでは、最初の同期信号区間には「００」が重畳され、次の同期信号区間には「０１」が重畳され、次の同期信号区間には「０１」が重畳されていることを示している。従って、ＯＳＤ１のＯＳＤ信号については映像出力のＲＧＢ信号に基づいてＣＲＴ１５に表示が行われ、ＯＳＤ２のＯＳＤ信号についてはＯＳＤ信号用のＲＧＢ信号に基づいてＣＲＴ１５に表示が行われる。
【００３０】
図５は、マイコンＩＣ１６にて実行される制御データ重畳処理の処理内容を示したフローチャートである。
同図において、利用者がリモコン２１にて予約操作等の行う操作を行うと、マイコンＩＣ１６は受光回路２２を介してこの操作内容を取得し、対応する表示を形成可能なＯＳＤ信号を生成する（ステップＳ１００）。次に、ＯＳＤ信号を映像信号に重畳する際に、当該ＯＳＤ信号によるキャラクタやグラフィック画像の表示が映像信号の表示を上書きする領域であるか否かを示すＯＳＤ表示出力情報を取得する（ステップＳ１０５）。
【００３１】
そして、このＯＳＤ表示出力情報がＯＳＤ信号による表示であるか否かを判別し（ステップＳ１１０）、ＯＳＤ信号による表示である場合はＯＳＤ信号表示出力に切り替えるための制御データを生成する。すなわち、上述した切替制御データテーブル３０からデータ３０ｂの「０１」を取得して生成する（ステップＳ１１５）。一方、映像信号による表示である場合は（ステップＳ１２０）、映像信号表示出力に切り替えるための制御データを生成する。すなわち、データ３０ａの「００」を取得して生成する（ステップＳ１２５）。次に、生成したＯＳＤ信号のＲ信号に含まれる同期信号の立ち下がりを検出し（ステップＳ１３０）、この同期信号の立ち下がりを検出すると、生成した制御データを同期信号区間に重畳する（ステップＳ１３５）。そして、この同期信号区間に制御データが重畳されたＯＳＤ信号をクロマＩＣ１３に対して出力する（ステップＳ１４０）。
【００３２】
図６は、制御データが重畳されているＯＳＤ信号（Ｒ信号）を入力したクロマＩＣ１３にて実行される切替制御データ抽出処理の処理内容を示したフローチャートである。
同図において、最初に、ＯＳＤ信号の入力の有無を判別する（ステップＳ１５０）。次に、Ｒ信号の同期信号の立ち下がりを検出するとともに（ステップＳ１５５）、同期信号区間に制御データが重畳されているか否かを判別する（ステップＳ１６０）。制御データが重畳されていれば、この制御データを抽出する（ステップＳ１６５）。そして、抽出した制御データがＯＳＤ信号表示出力を示す制御データであるか否かを判別し（ステップＳ１７０）、ＯＳＤ信号表示出力を示す制御データであれば、ＲＧＢ切替回路１３ａをＯＳＤ用のＲＧＢ信号側に切り替える動作制御を実行する（ステップＳ１７５）。一方、映像信号表示出力を示す制御データであれば（ステップＳ１８０）、ＲＧＢ切替回路１３ａを映像信号のＲＧＢ信号側に切り替える動作制御を実行する（ステップＳ１８５）。
【００３３】
上述した実施形態においては、マイコンＩＣ１６にてＲＧＢ信号にて構成されるＯＳＤ信号のうちＲ信号のみの同期信号区間に制御データを重畳し、クロマＩＣ１３にてこのＲ信号の同期信号区間に重畳された制御データを抽出し、所定の動作制御を実行する構成を採用してきたが、むろん、制御データを重畳する同期信号区間はＲ信号のみに限定されるものではなく、各ＲＧＢ信号を利用するようにしても良いことは言うまでもない。
【００３４】
（３）第二実施形態
図７は、各ＲＧＢ信号の同期信号区間に制御データを重畳した場合の各ＲＧＢ信号の構成を示した構成図である。
同図においては、各ＲＧＢ信号における同期信号区間に一連の制御データＤＴを適宜制御データＤＴ１〜ＤＴ４に分割して順次重畳する構成を示している。
本実施形態においては、各ＲＧＢ信号の最初の同期信号区間において、Ｒ信号には制御データＤＴ１を重畳し、Ｇ信号には制御データＤＴ２を重畳し、Ｂ信号には制御データＤＴ３を重畳している。そして、次の同期信号区間において、Ｒ信号には制御データＤＴ４を重畳する。これにより、制御データＤＴが同期信号区間に重畳可能なデータ量より大きい場合にも制御データを重畳することが可能になる。
【００３５】
一方、分割して、Ｒ信号の同期信号区間に順次重畳していく手法も考えられるものの、各ＲＧＢ信号の同期信号区間に順次重畳していけば、好適である。なぜなら、前者の手法では、制御データＤＴ１〜ＤＴ４を重畳するために４つの同期信号区間を費やす必要があるが、後者の手法では、２つの同期信号区間で良い。従って、この制御データＤＴに基づいて所定の動作制御を行うクロマＩＣ１３はよりリアルタイムに制御を実行することが可能になるし、当然、多くのデータ量を送信することが可能になることは言うまでもない。
【００３６】
図８は、各ＲＧＢ信号に制御データを重畳する場合にマイコンＩＣ１６にて実行される制御データ重畳処理の処理内容を示したフローチャートである。
同図において、利用者がリモコン２１にて予約操作等の行う操作を行うと、マイコンＩＣ１６は受光回路２２を介してこの操作内容を取得し、対応する表示を形成可能なＯＳＤ信号を生成する（ステップＳ２００）。クロマＩＣ１３に対して所定の制御を行う場合か否かを判別する（ステップＳ２０５）。制御を行う場合であれば、対応する制御データを生成するとともに、同期信号区間に収容される程度に適宜分割する（ステップＳ２１０）。
【００３７】
そして、Ｒ信号の同期信号の立ち下がりを検出すると（ステップＳ２１５）、この同期信号区間に分割した最初の制御データを重畳する（ステップＳ２２０）。そして、制御データが終了したか否かを判別し（ステップＳ２２５）、まだ、制御データの残りがある場合は、Ｇ信号の同期信号の立ち下がりを検出する（ステップＳ２３０）。同期信号の立ち下がりが検出されると、この同期信号区間に分割した次の制御データを重畳する（ステップＳ２３５）。そして、制御データが終了したか否かを判別し（ステップＳ２４０）、まだ、制御データの残りがある場合は、Ｂ信号の同期信号の立ち下がりを検出する（ステップＳ２４５）。
【００３８】
そして、この同期信号区間に次の分割した制御データを重畳する（ステップＳ２５０）。次に制御データが終了したか否かを判別し（ステップＳ２５５）、終了していなければ、ＯＳＤ信号を出力しつつ（ステップＳ２５６）、ステップＳ２１５に戻り、上述した処理を繰り返す。一方、ステップＳ２２５、Ｓ２４０、Ｓ２５５において制御データが終了していると判別された場合は、制御データに終了コードを付加するとともに（ステップＳ２６０）、ＯＳＤ信号を出力する（ステップＳ２６５）。
【００３９】
図９は、各ＲＧＢ信号に制御データが重畳される場合にクロマＩＣ１３にて実行される制御データ抽出処理の処理内容を示したフローチャートである。
同図において、最初に、ＯＳＤ信号の入力の有無を判別する（ステップＳ３００）。次に、Ｒ信号の同期信号の立ち下がりを検出するとともに（ステップＳ３０５）、同期信号区間に制御データが有るか否かを判別し（ステップＳ３１０）、制御データが有る場合は当該制御データを抽出する（ステップＳ３１５）。そして、この制御データに終了コードが付加されているか否かを判別し（ステップＳ３２０）、付加されていない場合は、Ｇ信号の同期信号の立ち下がりを検出するとともに（ステップＳ３２５）、この同期信号区間に重畳されている制御データを抽出する（ステップＳ３３０）。
【００４０】
そして、この制御データに終了コードが付加されているか否かを判別し（ステップＳ３３５）、付加されていない場合は、Ｂ信号の同期信号の立ち下がりを検出するとともに（ステップＳ３４０）、この同期信号区間の制御データを抽出する（ステップＳ３４５）。そして、この制御データに終了コードが付加されているか否かを判別し（ステップＳ３５０）、付加されていない場合は上述してきた処理を繰り返す。一方、ステップＳ３２０、Ｓ３３５、Ｓ３５０にて終了コードが付加されていると判別された場合は、図１０に示すように抽出した制御データを連結して復元し（ステップＳ３５５）、この復元した制御データに基づいて所定の制御処理を実行する（ステップＳ３６０）。
【００４１】
上述してきた実施形態においては、マイコンＩＣ１６とクロマＩＣ１３とをＯＳＤ信号線２０にて接続し、このＯＳＤ信号線２０にて送信されるＯＳＤ信号の同期信号区間にクロマＩＣ１３の動作制御をするための制御データを重畳して、マイコンＩＣ１６からクロマＩＣ１３の動作制御を行う構成を説明した。ここで、マイコンＩＣ１６はクロマＩＣ１３に限らず、テレビジョン１０の内部機器を制御する。このとき、マイコンＩＣ１６に制御される内部機器はＩＩＣバス１９に接続される。従って、マイコンＩＣ１６はこのＩＩＣバス１９に制御データを送出し、内部機器は自己に対する制御データであることを識別すると、それを受信して所定の制御処理を実行する。
【００４２】
一方、マイコンＩＣ１６にて各内部機器の動作制御を行うための制御データを送信する手法はＩＩＣバス１９に限定されるものではなく、本実施形態にて利用したＯＳＤ信号を利用するようにしても良い。すなわち、マイコンＩＣ１６と各内部機器をＯＳＤ信号線を利用して接続し、このＯＳＤ信号線を流れるＯＳＤ信号の同期信号区間に各内部機器の動作制御用の制御データを重畳し、内部機器にてこの制御データを抽出して所定の制御処理を実行するようにしても良い。かかる場合は、各ＲＧＢ信号の３芯線にて構成しても良いし、単に信号送信線として利用するだけであるから、ＲＧＢ信号のいずれか一つの信号線にて構成するようにしても良い。
【００４３】
（４）第三実施形態
図１１は、このようにＯＳＤ信号を利用してマイコンＩＣ１６がチューナ１１の動作を制御する場合の構成を示したブロック構成図である。
同図において、マイコンＩＣ１６に搬送信号取得回路１６ｂと、制御データ重畳回路１６ｃとを配設する。そして、マイコンＩＣ１６とチューナ１１とをＯＳＤ信号線２００にて接続する。かかる構成において、搬送信号取得回路１６ｂはＯＳＤ信号生成回路１６ａが生成したＯＳＤ信号を制御データの搬送用の信号として取得する。そして、制御データ重畳回路１６ｃは搬送信号取得回路１６ｂからＯＳＤ信号からなる搬送信号を入力し、所定の制御データ、例えば、受信周波数データを当該ＯＳＤ信号の同期信号区間に重畳する。そして、ＯＳＤ信号線２００を介してチューナ１１に送信し、チューナ１１はこのＯＳＤ信号を入力すると、受信周波数データを抽出して受信動作を実行する。
【００４４】
このように、マイコンＩＣ１６がＯＳＤ信号を出力するに際して、ＯＳＤ信号を形成するＲＧＢ信号の同期信号区間にクロマＩＣ１３の動作を制御するための制御データを重畳し、これを入力したクロマＩＣ１３がこの制御データを抽出して同制御データに基づいて動作を行うことによって、マイコンＩＣ１６とクロマＩＣ１３との間に制御データ用の信号線を配設することなく、ＯＳＤ信号線２０のみでＯＳＤ信号と制御データとを送信することができ、回路構成を簡素化することができるとともに、コストダウンを図ることが可能になる。
【図面の簡単な説明】
【図１】  本発明の一実施形態にかかるテレビジョンの概略構成を示したブロック構成図である。
【図２】  マイコンＩＣとクロマＩＣとの内部構成と接続態様を示したブロック構成図である。
【図３】  ＲＧＢ切替回路の切り替え態様を示した切替制御データテーブルの構成を示した構成図である。
【図４】  第一実施形態におけるＲ信号の構成を示した構成図である。
【図５】  制御データ重畳処理の処理内容を示したフローチャートである。
【図６】  切替制御データ抽出処理の処理内容を示したフローチャートである。
【図７】  第二実施形態における各ＲＧＢ信号の構成を示した構成図である。
【図８】  制御データ重畳処理の処理内容を示したフローチャートである。
【図９】  制御データ抽出処理の処理内容を示したフローチャートである。
【図１０】  制御データを連結して復元する態様を示した図である。
【図１１】  第三実施形態におけるマイコンＩＣの内部構成を示したブロック構成図である。
【符号の説明】
１１…チューナ
１３…クロマＩＣ
１３ａ…ＲＧＢ切替回路
１３ｂ…色再生回路
１４…カソードアンプ
１６…マイコンＩＣ
１６ａ…ＯＳＤ信号生成回路
２０…ＯＳＤ信号線
２０ａ…Ｒ信号線
２０ｂ…Ｇ信号線
２０ｃ…Ｂ信号線
【図１】
0003659331.tif 000002
【図２】
0003659331.tif 000003
【図３】
0003659331.tif 000004
【図４】
0003659331.tif 000005
【図５】
0003659331.tif 000006
【図６】
0003659331.tif 000007
【図７】
0003659331.tif 000008
【図８】
0003659331.tif 000009
【図９】
0003659331.tif 000010
【図１０】
0003659331.tif 000011
【図１１】
0003659331.tif 000012